(57)【特許請求の範囲】
【請求項１】
構造物の屋内側と屋外側とを連通し、かつ開閉体によって開閉される開口部に設置されるシートと、
前記開閉体よりも屋外側で、前記開閉体の鉛直方向下端部の所定部と、前記開口部の幅方向両端部の所定部とを前記シートによって閉塞した状態で、前記シートを前記構造物に対して保持する保持部材と、
屋外側の浸水時に、屋外側の水圧に対抗して屋内側から前記開閉体を支持する補強部材と、
を備え、
前記補強部材は、
前記開閉体の鉛直方向下端部と当接する当接部と、
一端部が前記当接部の下端部と回動自在に連結され前記当接部を屋内側の床面に固定する台座部、及び、一端部が前記当接部の上端部と回動自在に連結され他端部が前記台座部の他端部と連結されたリンク部を含む固定部とを有する、
ことを特徴とする開口部の防水装置。
【請求項２】
前記台座部の前記他端部には、複数のスリットが形成され、
前記リンク部の他端部には、前記スリットと着脱自在に係合する係合ピンが配設されている、
ことを特徴とする請求項１に記載の開口部の防水装置。
【請求項３】
前記リンク部は、前記当接部の上端部と前記台座の他端部との間で伸縮する、
ことを特徴とする請求項１に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、開閉体としてのシャッターの裏面には屈曲自在なシートが配設されていると共に、シートと対向するようにしてガイドレールにはシール部材が配設され、シャッターに浸水しようとする氾濫水等の水圧がシャッターの表面に作用すると、シートがシール材に圧接されるようになっている、浸水防止機能を備えたシャッター装置の技術が開示されている。
【先行技術文献】
【特許文献】
【０００３】
【特許文献１】特許第４４５９７４０号公報
【発明の概要】
【発明が解決しようとする課題】
【０００４】
開閉体の屋外側が浸水した際に、開閉体に水圧が作用する。そこで、水圧によって開閉体や建造物が損傷することを防止するために、開閉体を補強する必要がある。また、例えば、地下駐車場の入口などでは、開閉体の設置場所の床面が傾斜している場合がある。そこで、床面が傾斜していても、開閉体を適切に補強することができる開口部の防水装置が望まれていた。
【０００５】
本発明は、上記の事情に鑑みてなされたものであって、床面に傾斜があっても、開閉体を適切に補強することができる開口部の防水装置を提供することを目的とする。
【課題を解決するための手段】
【０００６】
上記目的を達成するために、本発明に係る開口部の防水装置は、構造物の屋内側と屋外側とを連通し、かつ開閉体によって開閉される開口部に設置されるシートと、前記開閉体よりも屋外側で、前記開閉体の鉛直方向下端部の所定部と、前記開口部の幅方向両端部の所定部とを前記シートによって閉塞した状態で、前記シートを前記構造物に対して保持する保持部材と、屋外側の浸水時に、屋外側の水圧に対抗して屋内側から前記開閉体を支持する補強部材と、を備え、前記補強部材は、前記開閉体の鉛直方向下端部と当接する当接部と、一端部が前記当接部の下端部と回動自在に連結され前記当接部を屋内側の床面に固定する台座部、及び、一端部が前記当接部の上端部と回動自在に連結され他端部が前記台座部の他端部と連結されたリンク部を含む固定部とを有する、ことを特徴とする。
【０００７】
上記開口部の防水装置では、前記台座部の前記他端部には、複数のスリットが形成され、前記リンク部の他端部には、前記スリットと着脱自在に係合する係合ピンが配設されている、ものとすることができる。
【０００８】
また、上記開口部の防水装置では、前記リンク部は、前記当接部の上端部と前記台座の他端部との間で伸縮する、ものとすることができる。
【発明の効果】
【０００９】
本発明に係る開口部の防水装置では、補強部材の固定部は、当接部に対して角度調節自在に配設され、当接部を屋内側の床面に固定することができる。このため、屋内側の床面が水平でも傾斜していても、当接部に対する固定部の角度を調節して適切に設置できる、という効果を奏する。
【図面の簡単な説明】
【００１０】
【図１】図１は、実施形態１に係る開口部の防水装置を開口部に設置した状態を示す断面図である。
【図２】図２は、図１に示された開口部の防水装置の補強部材を屋内側に設置した状態を示す斜視図である。
【図３】図３は、図１に係る開口部の防水装置を開口部に設置した状態を示す断面図であり、傾斜した床面に設置した状態を示す図である。
【図４】図４は、図１に示された開口部の防水装置の補強部材を表す平面図である。
【図５】図５は、図１に示された開口部の防水装置の補強部材を折り畳んだ状態を表す平面図である。
【図６】図６は、実施形態２に係る開口部の防水装置の補強部材を示す側面図である。
【図７】図７は、実施形態２に係る開口部の防水装置の補強部材を示す側面図であり、傾斜した床面に設置した状態を示す図である。
【図８】図８は、変形例に係る開口部の防水装置の補強部材を示す側面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態１］
図１は、実施形態１に係る開口部の防水装置（以下、防水装置）１を開口部に設置した状態を示す断面図である。図１に示す実施形態の防水装置１は、開口部Ｏから構造物Ｓの内部に水が浸入することを防止するものである。開口部Ｏは、構造物Ｓの壁部などに形成され、構造物Ｓの一方の空間側（例えば、屋外空間側）と他方の空間側（例えば、屋内空間側）とを連通するように形成される。ここで、構造物Ｓは、例えば、工場、倉庫、車庫、店舗、家屋等の建築構造物であり、開口部Ｏを有している。
【００１３】
なお、以下の説明では、水平方向に沿った方向を「幅方向」という場合がある。また、下流側（屋内空間側）とは、水の浸入を阻止や抑制したい側であり、上流側（屋外空間側）とは、浸入可能性のある水が流れてくる側のことである。屋内側、屋外側とは説明上分かりやすくするための便宜上の表現であって、屋外側とは、水が浸入する場合の上流側のことであり、屋内側とは、上流側から水が浸入する可能性がある下流側であり、本発明においては水が浸入してくるのを阻止や抑制したい側のことである。開閉扉や壁等とともに防水装置１を、例えば単なる道路の防水用仕切りとして使用したり、外部空間における門等の箇所に取り付けたり、家屋や部屋等の概念がない箇所に配設してもよい。また、開口部Ｏは、前述の屋外側と屋内側とを連通するものとすることができる。
【００１４】
実施形態１の開口部Ｏは、構造物Ｓの外殻をなす壁部３に形成されており、壁部３を貫通して構造物Ｓの屋外と屋内とを連通している。壁部３には、開口部Ｏを形成する一対の壁面３ａを有する。一対の壁面３ａは、開口部Ｏの幅方向において互いに対向している。なお、これに限らず、開口部Ｏは、構造物Ｓの内部を仕切る壁部に形成されたものであってもよい。
【００１５】
開口部Ｏ、例えば、地下駐車場の入口には、開閉体としてのシャッター４が設置されていることが多い。シャッター４は隙間が多い構造であるため、ゲリラ豪雨や洪水時のように想定以上の降水量となると、シャッター４の隙間を介して浸水し、施設が被害に遭う可能性がある。そこで、浸水対策として、シャッター４の下部を防水板（パネル）に変更する方法も考えられるが、一般的に高額となりやすいため、ユーザーにとって受け入れにくい場合がある。
【００１６】
シャッター４は、開口部Ｏを開閉する開閉体である。シャッター４は、開閉方向、実施形態１では鉛直上下方向に移動する。シャッター４は、図１および図２に示すように、金属で構成された複数のスラット４ａを開閉方向すなわち鉛直方向に連接して形成されたスラット連接体である。実施形態１では、開方向が上方向、閉方向が下方向となる。
【００１７】
シャッター４は、図１および図２に示すように、幅方向の両端がガイドレール５により保持されて、鉛直方向の移動が案内される。ガイドレール５は、壁面３ａの屋内側の縁にそれぞれ配設されており、幅方向において互いに対向している。シャッター４の幅方向の両端は、それぞれ、ガイドレール５の溝部５ａに挿入されている。溝部５ａは、鉛直方向に延在しており、シャッター４を鉛直方向に移動自在に案内する。シャッター４は、開口部Ｏの上端部に配設されたホイルかご（図示省略）に巻き取り可能である。シャッター４は、ホイルかごに巻き取られることで、開口部Ｏを開放し、ホイルかごから繰り出されることで開口部Ｏを閉鎖する。
【００１８】
防水装置１は、シャッター４の屋外側にシート１０を設置して、簡易的にかつ安価に止水することを可能とする。防水装置１は、開口部Ｏを閉塞し、屋外側から屋内側への水の浸入を抑制するものである。防水装置１は、主として、シート１０、保持部材２０、押圧部材３０、補強部材５０を備える。
【００１９】
シート１０は、シャッター４とその周囲の構造物Ｓとを一体に覆うことで、シャッター４と構造物Ｓとの隙間を閉塞し、適切に止水する。シート１０は、開口部Ｏに設置されるものであり、開口部Ｏの鉛直方向下端側の領域を閉塞することが可能な幅および高さを有している。シート１０の形状は矩形で、遮水性、可撓性を有している。シート１０の素材は、例えば、樹脂、ゴム、表面を樹脂などでコーティングした布で構成されている。シート１０は、水圧によるシャッター４の変形に追従できる素材で構成されることが好ましい。
【００２０】
シート１０の幅は、開口部Ｏの幅、すなわち、一対の壁面３ａ間の距離よりも大に設定されている。シート１０の鉛直方向の高さは、対応すべき水深に基づいて定められている。すなわち、シャッター４の下端から鉛直方向上側に向けてどの範囲をシート１０によって覆い防水するかに基づいてシート１０の鉛直方向の高さが定められている。以下の説明では、シャッター４においてシート１０によって覆われるべき部分を「所定部」（図１の符号Ａ参照）と称する。所定部Ａは、シャッター４の鉛直方向下端部である。
【００２１】
保持部材２０は、シート１０をシャッター４よりも屋外側に位置付けて構造物Ｓに対して保持する。より詳しくは、保持部材２０は、シャッター４の所定部Ａと、構造物Ｓのうち所定部Ａに隣接する部分とを一体に覆うことで開口部Ｏの鉛直方向下端部を閉塞させるようにシート１０を保持する。また、保持部材２０は、シート１０の鉛直方向下端部が床面Ｆに沿って屋外側に向けて延在するようにシート１０の幅方向の両端を保持する。これにより、シート１０は、シャッター４が有する隙間やシャッター４と構造物Ｓとの隙間を塞ぎ、屋内側への浸水を抑制することができる。なお、本明細書では、シート１０の鉛直方向下端部であって、シート１０が保持部材２０によって保持された状態で床面Ｆに沿って延在する部分を、以下「シート下部１２」と記載する。本発明でいう床面Ｆとは、説明上分かりやすくするための便宜上の表現であって、通常の床面のみならず、コンクリート面や地面等の開口部Ｏの下方に位置する面を総称する。
【００２２】
保持部材２０は、耐水性を有する硬質の材料、例えば、アルミニウム合金等で構成され、一対配設されている。保持部材２０は、一対の壁面３ａにそれぞれ配設されている。なお、実施形態１では、保持部材２０は、ガイドレール５よりも屋外側に配設されている。保持部材２０は、壁面３ａに取り付けられる平面部２１に、シート１０の端部を挟持する挟持スリット２２が配設されている。保持部材２０は、鉛直方向に延在しており、シャッター４の所定部Ａに対応する範囲に配設されている。すなわち、保持部材２０は、シャッター４の下端から所定部Ａの上端までの範囲に対応して配されている。
【００２３】
押圧部材３０は、シート１０のシート下部１２上に配設されて、シート１０を構造物Ｓに向けて押圧するウェイトであり、例えばシート１０を床面Ｆに向けて押圧する。押圧部材３０は、例えば、金属で構成され、浮力に抗してシート下部１２を床面Ｆに向けて押圧することができる質量や密度を有している。また、押圧部材３０は、シート下部１２上に開口部Ｏの幅方向に沿って連続的に配設される。押圧部材３０は、棒状あるいは板状であることが好ましい。実施形態１に係る押圧部材３０は、板状のフラットバーである。
【００２４】
マグネット４０は、シート１０の上端部（シート上部）１１を構造物Ｓのシャッター４に向けて押圧するものである。マグネット４０によって、シート１０がシャッター４に向けて吸引されることにより、シート１０の垂れ下がりが抑制される。これにより、シート上部１１が所定部Ａよりも上方に保持される。
【００２５】
補強部材５０は、図２に示すように、屋外側の浸水時に、屋外側の水圧に対抗して屋内側からシャッター４を支持するものである。補強部材５０は、図１に示すように、シート１０を開口部Ｏに設置する場合、すなわち、防水装置１を組み立てる場合に、シャッター４よりも屋内側の床面Ｆ上に設置されて、シャッター４の内面と当接してシャッター４の厚さ方向の変形を抑制する。補強部材５０は、側方からみて三角形に形成され、床面Ｆから上方に向けて延在して鉛直方向と平行な当接部５１が、水圧によって屋内側に凸に湾曲したシャッター４の内面と当接することで、シャッター４がさらに変形することを抑制する。つまり、補強部材５０は、屋外側からの水圧による力に抗してシャッター４を支持することで、シャッター４の変形を抑制する。
【００２６】
補強部材５０は、主として、当接部５１と、台座部５２および連結部材としてのリンク部５３とを備える。なお、固定部は、主として、台座部５２とリンク部５３とによって構成されている。当接部５１の長手方向一端部（組み立て時の鉛直方向下端部）には台座部５２の長手方向一端部が後述する回動軸５４を介して回動自在に配設され、当接部５１の長手方向他端部（組み立て時の鉛直方向上端部）にはリンク部５３の長手方向一端部が後述する回動軸５５を介して回動自在に配設されている。また、リンク部５３の長手方向他端部には後述する係合ピン５６が配設されており、台座部５２の長手方向他端部に形成されたスリット５２ａと着脱自在に係合する。
【００２７】
当接部５１は、シャッター４の鉛直方向下端部と当接するものである。当接部５１は、断面形状がコの字型の剛性を有する部材で構成されている。当接部５１は、一対の対向するフランジと、フランジ間に形成されたウェブ（本体）と、を有している。当接部５１の両フランジの長手方向両端部には、それぞれ対向する位置に連結孔が形成されている。連結孔は、回動軸５４、５５が挿通可能な大きさに設定されている。本体のシャッター４との当接面（外周面）には、緩衝材５１ａが配設されている。緩衝材５１ａは、水圧でシャッター４が当接部５１に押圧された際に、シャッター４が損傷することを防止する。当接部５１は、補強部材５０の組み立て時には、長手方向が鉛直方向と平行に配設される。また、当接部５１は、平常時にはシャッター４の内面と離接しており、浸水時にシャッター４が水圧で屋内側に凸に湾曲するとその内面と当接する。
【００２８】
台座部５２は、床面Ｆに対して固定されるものである。台座部５２は、長手方向一端部が当接部５１の長手方向一端部に回動軸５４を介して回動自在に配設され、長手方向他端部に複数のスリット５２ａが形成されている。台座部５２は、断面形状がコの字型の剛性を有する部材で構成されている。台座部５２の両フランジの長手方向一端部には、対向する位置に連結孔が形成されている。連結孔は、回動軸５４が挿通可能な大きさに設定されている。
【００２９】
台座部５２の両フランジの長手方向他端部には、複数（実施形態１では、６つ）のスリット５２ａが形成されている。スリット５２ａは、等間隔で、両フランジの先端部からウェブ（本体）側に切り欠かれている。スリット５２ａは、係合ピン５６の軸部の径よりも大きな幅、深さに設定されている。補強部材５０の組み立て時に、台座部５２を床面Ｆに載置して、当接部５１の長手方向が鉛直方向と平行になるように、係合ピン５６と係合するスリット５２ａを選択して、リンク部５３を固定する。これにより、図１、図３に示すように、当接部５１と台座部５２との角度が調節された状態で、リンク部５３が固定される。すなわち、当接部５１と台座部５２とリンク部５３とで形成される三角形の形状が変化する。
【００３０】
具体的には、例えば、係合ピン５６を、図１に示すスリット５２ａと係合したときは、当接部５１と台座部５２とリンク部５３とで形成される三角形は直角三角形となっている。また、図３に示すように、係合ピン５６を、台座部５２の長手方向一端側のスリット５２ａと係合させたときは、台座部５２は長手方向一端側に向かって上り傾斜となっている。また、係合ピン５６を、台座部５２の長手方向他端側のスリット５２ａと係合させたときは、台座部５２は長手方向他端側に向かって上り傾斜となる。このように、補強部材５０の組み立て時は、当接部５１の長手方向を鉛直方向と平行にして、係合ピン５６と係合するスリット５２ａを選択して、リンク部５３を固定する。これにより、シャッター４が設置されている床面Ｆの傾斜（水平も含む）に合わせて補強部材５０が取り付けられる。
【００３１】
また、台座部５２の本体にはボルトアンカー６０を床面Ｆに取り付けるための取付孔が、実施形態１では２つ形成されている。台座部５２は、取付孔に挿通されたボルトアンカー６０によって床面Ｆに対して固定される。床面Ｆには、内周面に雌ねじが形成された取付孔が配設されている。床面Ｆに配設する取付孔は、当接部５１が平常時にはシャッター４の内面と離接するように、シャッター４と床面Ｆとの接触位置よりも屋内側に配設されている。
【００３２】
リンク部５３は、台座部５２と当接部５１とを連結するものである。リンク部５３は、長手方向一端部が当接部５１の長手方向他端部に回動軸５５を介して回動自在に配設され、長手方向他端部が台座部５２のスリット５２ａと係合ピン５６を介して着脱自在に係合する。リンク部５３は、断面形状がコの字型の剛性を有する部材で構成されている。リンク部５３の両フランジの長手方向一端部には、それぞれ対向する位置に連結孔が形成されている。連結孔は、回動軸５５、係合ピン５６がそれぞれ挿通可能な大きさに設定されている。リンク部５３の長手方向他端部には係合ピン５６が配設されている。係合ピン５６は、図４に示すように、リンク部５３の両フランジよりも外方に突出した突出部５６ａを有する。係合ピン５６の軸部は、スリット５２ａと係合可能な大きさ、形状に設定されている。
【００３３】
回動軸５４は、ボルト・ナットを含む連結部材であり、軸部の長さは当接部５１のフランジ間の距離より大に設定されている。回動軸５４は、当接部５１の長手方向一端部の連結孔と、台座部５２の長手方向一端部の連結孔とを回動自在に連結する。
【００３４】
回動軸５５は、ボルト・ナットを含む連結部材であり、軸部の長さはリンク部５３のフランジ間の距離より大に設定されている。回動軸５５は、当接部５１の長手方向他端部の連結孔と、リンク部５３の長手方向一端部の連結孔とを回動自在に連結する。
【００３５】
係合ピン５６は、ボルト・ナットを含む連結部材であり、軸部の長さはリンク部５３のフランジ間の距離より大に設定されている。係合ピン５６は、台座部５２のスリット５２ａと着脱自在である。具体的には、係合ピン５６の軸部がスリット５２ａと係合する。
【００３６】
このような構成の補強部材５０は、スリット５２ａと係合ピン５６との係合を解除することで、図５に示すように、折り畳んでコンパクトに収納される。また、スリット５２ａと係合ピン５６とを係合して、補強部材５０は、組み立て時にはトラス構造となることで、十分な強度を有してシャッター４を支持する。
【００３７】
上記のように構成される防水装置１の使用方法（組み立て方法）、作用について説明する。なお、主として、床面Ｆが水平であるものとして説明する。
【００３８】
シート１０を開口部Ｏに設置する場合、すなわち、防水装置１を組み立てる場合、まず、作業者は、シャッター４をホイルかごに巻き取って開口部Ｏを開状態とする。そして、作業者は、シャッター４よりも屋内側の床面Ｆに補強部材５０を取り付ける。具体的には、作業者は、折り畳んだ補強部材５０の台座部５２を広げる。そして、作業者は、台座部５２の取付孔を床面Ｆの取付孔に合わせて、台座部５２を床面Ｆに載置して、ボルトアンカー６０で台座部５２を床面Ｆに固定する。このとき、台座部５２の長手方向一端部を屋外側、長手方向他端部を屋内側として配設する。
【００３９】
そして、作業者は、当接部５１とリンク部５３とを把持して、回動軸５４を軸として屋内側に回動させて、当接部５１を起立させる。そして、作業者は、当接部５１の長手方向を鉛直方向と平行にした状態で回動軸５５を把持する。そして、作業者は、当接部５１の姿勢を維持できるスリット５２ａを選択して係合ピン５６と係合する。これにより、補強部材５０は、図１に示すように、側方からみて直角三角形となっている。すなわち、当接部５１は床面Ｆから上方に向けて延在して、長手方向が鉛直方向と平行となっている。また、当接部５１は、平常時にはシャッター４の内面と離接している。浸水時には、水圧でシャッター４が屋内側に凸に湾曲すると、当接部５１はその内面と当接する。このようにして、防水装置１が組み立てられる。
【００４０】
ここで、床面Ｆが水平ではない場合について説明する。具体的には、図３に示すように、床面Ｆが屋内側から屋外側に向かって上り傾斜の場合は、作業者は、係合ピン５６を、台座部５２の長手方向一端側のスリット５２ａと係合させる。これにより、当接部５１と台座部５２とリンク部５３とで形成される三角形は、当接部５１の長手方向が鉛直方向と水平で、台座部５２が屋内側から屋外側に向かって上り傾斜となっている。また、床面Ｆの屋内側が高い場合は、係合ピン５６を、台座部５２の長手方向他端側のスリット５２ａと係合させる。これにより、当接部５１と台座部５２とリンク部５３とで形成される三角形は、当接部５１の長手方向が鉛直方向と水平で、台座部５２が屋外側から屋内側に向かって上り傾斜となる。
【００４１】
つぎに、作業者は、シャッター４をホイルかごから繰り出して開口部Ｏを閉状態とする。そして、保持部材２０を壁面３ａに取り付ける。
【００４２】
そして、作業者は、シート１０の幅方向の両端を、保持部材２０の挟持スリット２２に上端から挿入して下端まで引き下げる。これにより、シート１０の両端が保持部材２０に挟持される。そして、作業者は、シート下部１２を、保持部材２０の下端と床面Ｆとの間を通して、床面Ｆ上に引き出し、床面Ｆに沿って屋外側に向けて延在させる。
【００４３】
そして、作業者は、押圧部材３０をシート下部１２の表面の上に配設する。こうして、シート１０が所定部Ａと一対の壁面３ａの所定部Ａに隣接する部分とを一体に覆い、かつ、シート下部１２が床面Ｆに沿って屋外側に向けて延在した状態で、押圧部材３０によりシート１０を床面Ｆ、構造物Ｓの一対の壁面３ａおよびシャッター４に向けて押圧する。
【００４４】
そして、作業者は、マグネット４０をシート上部１１の表面に配設する。マグネット４０により、シート１０がシャッター４に向けて吸引されて、シート１０の垂れ下がりが抑制される。
【００４５】
実施形態１に係る防水装置１では、屋外側が浸水すると、水圧によって屋内側に凸に湾曲したシャッター４の内面と、補強部材５０の当接部５１が当接する。これにより、補強部材５０によって、屋外側の水圧に対抗して屋内側からシャッター４が支持されて、シャッター４の厚さ方向の変形が抑制される。
【００４６】
実施形態に係る防水装置１によれば、補強部材５０は、当接部５１に対して台座部５２とリンク部５３とが角度調節自在である。これにより、当接部５１と台座部５２とリンク部５３とで形成される三角形の形状が変化する。このため、当接部５１の長手方向を鉛直方向と平行にした状態で、補強部材５０を屋内側の床面Ｆに固定することができる。このため、屋内側の床面Ｆが水平な場合はもちろんのこと、傾斜していても、係合ピン５６と係合するスリット５２ａの位置を変えることによって角度調節して適切に補強部材５０を設置することができる。
【００４７】
［実施形態２］
図６、図７を参照して、実施形態２について説明する。なお、実施形態１と同一部分には、同一符号を付して説明を省略する。実施形態２に係る防水装置１の補強部材８０は、リンク部７０がターンバックルで構成されている点で、実施形態１と異なる。
【００４８】
リンク部７０は、長手方向（軸方向）一端部が当接部５１の軸方向他端部に回動自在に配設され、軸方向他端部が台座部５２の軸方向他端部と回動自在に配設されている。リンク部７０は、軸方向に伸縮するものである。リンク部７０は、図６に示すように、同軸の２本のボルト７１と、胴体部７２と、固定ナット７３と、連結部７４とを有している。２本のボルト７１は、一方が他方のいわゆる逆ねじとなっている。これにより、胴体部７２を回転させることにより、胴体部７２に対して２本のボルト７１が締め込まれたり、弛められたりして、リンク部７０が伸縮する。リンク部７０が収縮した状態では、図７に示すように、当接部５１と台座部５２との角度が鋭角となり、台座部５２は長手方向他端部に向かって上り傾斜となる。また、リンク部７０が伸長した状態では、当接部５１と台座部５２との角度が鈍角となり、台座部５２は長手方向他端部に向かって下がり傾斜となる。
【００４９】
実施形態２の防水装置１によれば、補強部材８０の組み立て時に、リンク部７０の胴体部７２を回転するだけでリンク部７０が伸縮し、補強部材８０は、当接部５１と台座部５２とリンク部５３とで形成される三角形の形状が変化する。このため、屋内側の床面Ｆが水平な場合はもちろんのこと、傾斜していても、胴体部７２を回転するだけで角度調節して適切に補強部材８０を設置することができる。このように、より簡単な操作で角度調節して補強部材８０を適切に設置できる。また、胴体部７２を回転してボルト７１を締め込んだり、弛めたりすることにより、リンク部７０の長さを調節できる。このため、リンク部７０の長さを無段階で調節することができるので、より適切な角度調節が可能である。
【００５０】
［変形例］
実施形態２では、リンク部７０をターンバックルで構成することにより、リンク部７０を伸縮自在なものとしたが、次のようにしてもよい。具体的には、図８に示すように、リンク部５３には、長手方向一端部に複数（ここでは、６つ）の係合孔５８を等間隔で配設する。また、リンク部５３の長手方向他端部と台座部５２の長手方向他端部とは、回動軸５６を介して回動自在に配設されている。回動軸５５と係合する係合孔５８の位置を変えることで、当接部５１と台座部５２との角度を調節することができる。
【００５１】
また、実施形態１の補強部材５０の組み立て時に、補強部材５０を正しい向きに設置しやすいように、次のようにしてもよい。台座部５２を床面Ｆに固定するボルトアンカー６０を、台座部５２の長手方向一端側と長手方向他端側とで異なる径のものを使用する。台座部５２の本体、床面Ｆには、ボルトアンカー６０に対応する大きさの異なる取付孔をそれぞれ形成する。これにより、実施形態１の補強部材５０の組み立て時に、補強部材５０を正しい向きに配設していないと、ボルトアンカー６０を締め込むことができないため、間違って設置してしまうことを防止できる。
【００５２】
また、実施形態１の補強部材５０の台座部５２のスリット５２ａの中で、使用しないスリット５２ａをゴムなどで形成されたキャップで閉塞してもよい。これにより、誤ったスリット５２ａに係合ピン５６を係合してしまうことを防止できる。また、補強部材５０の組み立て時は、開放されているスリット５２ａに係合ピン５６を係合させればよいので、組み立てに要する手間と時間とを削減できる。
【００５３】
また、実施形態１の補強部材５０では、スリット５２ａは直線状の切り欠きとしたが、鉤型の切り欠きとしてもよい。具体的には、スリット５２ａは、両フランジの先端部から本体側に切り欠かれ、その先端部からフランジの長手方向他端側に向かって水平に切り欠いてＬ字型に形成される。これにより、スリット５２ａと係合した係合ピン５６が、スリット５２ａから不用意に脱落することを防止できる。
【００５４】
また、実施形態１の押圧部材３０は、一本でもよいし、複数が開口部Ｏの幅方向に沿って連続的に配設されていてもよい。なお、使用上における止水目的を達成できれば、連続的でなく、若干途切れている箇所があってもよい。
【００５５】
また、実施形態１では、補強部材５０は、回動軸５４、５５を介して、当接部５１と、台座部５２と、リンク部５３とが連結されているものとして説明したが、例えば、回動軸５４を着脱自在な構成として、台座部５２と、当接部５１、リンク部５３とを着脱自在なものとしてもよい。この場合、台座部５２の長手方向一端部に、両フランジの先端部から本体側に切り欠いたスリットを形成する。補強部材５０の組み立て時は、上方から、回動軸５４と係合ピン５６を、台座部５２の長手方向一端部のスリット、長手方向他端部のスリット５２ａにそれぞれ係合させればよい。これにより、シャッター４が閉状態であっても、補強部材５０を組み立てることができる。
【００５６】
また、実施形態１および実施形態２の台座部５２の底面（床面Ｆと接する面）に、例えば、ゴムなどで構成される弾性押圧部材を貼付してもよい。これにより、床面Ｆに凹凸がある場合であっても、弾性押圧部材が変形することで床面Ｆの凹凸を吸収することができる。
【００５７】
また、実施形態１および実施形態２において、台座部５２は長手方向他端部に向かって上り傾斜、すなわち、当接部５１と台座部５２との角度が鋭角とならないように、台座部５２を設定してもよい。具体的には、実施形態１の台座部５２のスリット５２ａの配設位置や、実施形態２のリンク部７０の可動域を、当接部５１と台座部５２との角度が鋭角とならないように設定すればよい。
【００５８】
また、実施形態１および実施形態２では、開閉体としてシャッター４を示しているが、本発明では、開閉体として、ガラスなどで構成された一対の扉などを備えた開閉扉を用いてもよい。
【００５９】
さらに、実施形態１および実施形態２では、シャッター４の屋外側にシート１０を設置するものとして説明したが、シャッター４が床面Ｆとの間で防水機能を有する場合には、シート１０は設置しなくてもよい。
【符号の説明】
【００６０】
１  開口部の防水装置
３  壁部
４  シャッター（開閉体）
１０  シート
１２  シート下部（鉛直方向下端部）
２０  保持部材
３０  押圧部材
４０  マグネット
５０  補強部材
５１  当接部
５２  台座部（固定部）
５２ａ  スリット
５３  リンク部（固定部、連結部材）
５６  係合ピン
Ｓ  構造物
Ｏ  開口部
Ｆ  床面
Ａ  所定部
【図１】
0006470946.tif 000002
【図２】
0006470946.tif 000003
【図３】
0006470946.tif 000004
【図４】
0006470946.tif 000005
【図５】
0006470946.tif 000006
【図６】
0006470946.tif 000007
【図７】
0006470946.tif 000008
【図８】
0006470946.tif 000009